(57)【要約】    【課題】  本発明は筆記具に関するもので、吸収貯蔵体に貯蔵されたインクが嵩膨張又は衝撃等により空気通路へ流出し、上記空気通路を詰まらせるたり、ボディーの外部へ流出することを防止できるようにしたものである。    【解決手段】  即ち、本発明はインクタンクと芯体及び吸収貯蔵体とを備える筆記具において、吸収貯蔵体の空気通路側に上記吸収貯蔵体よりも気孔度が高い流出制限体を備えたものである。  従って、本発明は吸収貯蔵体の後方側に流出制限体を備えて、インクの嵩膨張又は衝撃流動等によって空気通路側へ流出するインクを吸収貯蔵できるようにすることで、空気通路側へ流出するインクによる空気通路の詰まり又はボディー外部へのインク流出が防止されるものである。  【選択図】    図１
2007111885.tif 000002
【特許請求の範囲】
【請求項１】
インクタンク(230)に貯蔵されたインクを毛細管現象を用いて引き出して筆記が行われるようにする芯体(210)と、
上記インクタンク(230)のインクを臨時貯蔵した後、上記芯体(210)に供給する吸収貯蔵体(221)と、
上記吸収貯蔵体(221)に上記芯体(210)へのインク流動のための空気を供給する空気通路(240)とを備えた筆記具において、
上記吸収貯蔵体(221)の空気通路(240)側に嵩膨張又は衝撃流動等によって、上記吸収貯蔵体(221)から流入するインクを一時的に吸収貯蔵した後、該吸収貯蔵体(221)へ再供給することができるように、上記吸収貯蔵体(221)よりも吸収力が低くなるように気孔が大きくて、密度が低い発泡体からなる流出制限体(110)を備えることを特徴とする
筆記具。
【請求項２】
上記吸収貯蔵体(221)に吸収されたインクが毛細管流動によって上記流出制限体(110)へ移動することを抑制できるように、上記流出制限体の上記吸収貯蔵体(221)側に界面活性剤をコーティングした吸収防止層(111)を形成したことを特徴とする
請求項１に記載の筆記具。
【請求項３】
嵩膨張又は衝撃流動によって上記流出制限体(110)に吸収されたインクがボディーとの貼性力による濡れ等によって上記空気通路(240)側へ流入することを防止できるように、上記流出制限体(110)の空気通路(240)側に上記流出制限体(110)よりも気孔が稠密な流出遮断体(112)を備えることを特徴とする
請求項１又は２に記載の筆記具。
【請求項４】
上記流出制限体(110)の後方には嵩膨張又は衝撃流動によって、該流出制限体(110)に流入したインクの空気通路(240)側への流入を構造的に遮断できるように貯蔵筒キャップ(120)を備えることを特徴とする
請求項１から３のいずれか１に記載の筆記具。
【発明の詳細な説明】
【技術分野】
【０００１】
本発明は筆記具に関するもので、より詳細にはボディーを逆にして携帯する際、インクが自重によって空気通路側へ流出することを効率的に防止できる筆記具に関する。
【背景技術】
【０００２】
一般的に、筆記具はインクが貯蔵されるインクタンクと、上記インクタンクのインクを毛細管現象を用いて引き出して、筆記が行われるようにする芯体で成るものである。
【０００３】
一方、インクタンクから直接芯体がインク供給を受ける場合には、芯体を通じたインク流出の調節が容易でないので、上記芯体とインクタンクとの間にインクタンクのインクを臨時貯蔵した後、供給することができる吸収貯蔵体を形成してインクの過度な流出を防止するようになっている。
【０００４】
また、吸収貯蔵体の後方側にはインクの円滑な流動のための空気通路が形成されている。  
このような筆記具は、インク貯蔵部に貯蔵されているインクが吸収貯蔵体へ吸収貯蔵された後、筆記過程において芯体に流動されて筆記が行われる。
【発明の開示】
【発明が解決しようとする課題】
【０００５】
しかし、インク貯蔵部にミキシングボールを備えた従来の筆記具は使用過程において、周りの温度が変化すると、吸収貯蔵体に吸収貯蔵されたインクが嵩膨張によって空気通路側へ流出し、流出したインクは上記空気通路を詰らせたり、ボディー表面との貼性力等による濡れによってボディー外部へ流出してしまう問題点がある。
【０００６】
また、筆記具を逆にして携帯する場合や、後方側に衝撃が加わる場合、吸収貯蔵体に貯蔵されているインクが慣性流動によって空気通路側へ流出することになり、以上のように流出したインクは空気通路を詰まらせたり、ボディー表面との貼性力等による濡れによって、ボディー外部へ流出してしまう等の問題点があった。
【０００７】
本発明は筆記具に関するもので、より詳細にはインクタンクと芯体及び吸収貯蔵体とを備えた筆記具において、吸収貯蔵体の空気通路側に流出制限体を備えて、吸収貯蔵体に吸収されたインクの温度変化に対する嵩膨張量を吸収して空気通路側への流出を防止し、ボディーを逆にして携帯する場合であっても、インクが自重によって空気通路側へ流出することを効率的に防止できるようにすることを目的とする。
【０００８】
本発明の他の目的は、流出制限体の吸収貯蔵体側接触面に界面活性剤をコーティングした吸収防止層を形成して空気通路側へのインク流入を最大限抑制し、吸収貯蔵体への空気供給が円滑に行われるようにすることを目的とする。
【０００９】
本発明の更に他の目的は、流出制限体の空気通路側に上記流出制限体よりも気孔が稠密に形成された流出遮断体を備えて、嵩膨張又は衝撃流動によって流出制限体に吸収されたインクがボディーとの貼性力による濡れ等によって、空気通路側に流入してしまうのを防止することを目的とするものである。
【００１０】
本発明の更に他の目的は、上記流出制限体の後方に貯蔵筒キャップを備えて、嵩膨張又は衝撃流動によって流出制限体に流入したインクが、空気通路側に流入することを構造的に遮断することを目的とするものである。
【課題を解決するための手段】
【００１１】
この発明は、インクタンク(230)に貯蔵されたインクを毛細管現象を用いて引き出して筆記が行われるようにする芯体(210)と、上記インクタンク(230)のインクを臨時貯蔵した後、上記芯体(210)に供給する吸収貯蔵体(221)と、上記吸収貯蔵体(221)に上記芯体(210)へのインク流動のための空気を供給する空気通路(240)とを備えた筆記具において、上記吸収貯蔵体(221)の空気通路(240)側に嵩膨張又は衝撃流動等によって、上記吸収貯蔵体(221)から流入するインクを一時的に吸収貯蔵した後、該吸収貯蔵体(221)へ再供給することができるように、上記吸収貯蔵体(221)よりも吸収力が低くなるように気孔が大きくて、密度が低い発泡体からなる流出制限体(110)を備えることを特徴とする。
【００１２】
このように、本発明は、吸収貯蔵体に貯蔵されたインクが嵩膨張又は衝撃等によって、空気通路へ流出して、上記空気通路を詰まらせたり、ボディーの外部へ流出することを防止できるようにしたものである。
【００１３】
即ち、本発明は、インクタンクと芯体及び吸収貯蔵体とにより構成される筆記具において、吸収貯蔵体の空気通路側に上記吸収貯蔵体より気孔が大きく形成されて密度が低い流出制限体を備えたものである。
【００１４】
従って、本発明は、吸収貯蔵体の後方側に流出制限体を備えて、インクの嵩膨張又は衝撃流動等によって、空気通路側へ流出するインクを吸収貯蔵できるようにすることで、空気通路側へ流出するインクによる空気通路の詰り又はボディー外部へのインク流出が防止されるものである。
【００１５】
さらに、請求項２に記載の発明は、上記吸収貯蔵体(221)に吸収されたインクが毛細管流動によって上記流出制限体(110)へ移動することを抑制できるように、上記流出制限体の上記吸収貯蔵体(221)側に界面活性剤をコーティングした吸収防止層(111)を形成したことを特徴とする。
【００１６】
さらに、請求項３に記載の発明は、嵩膨張又は衝撃流動によって上記流出制限体(110)に吸収されたインクがボディーとの貼性力による濡れ等によって上記空気通路(240)側へ流入することを防止できるように、上記流出制限体(110)の空気通路(240)側に上記流出制限体(110)よりも気孔が稠密な流出遮断体(112)を備えることを特徴とする。
【００１７】
さらに、請求項４に記載の発明は、上記流出制限体(110)の後方には嵩膨張又は衝撃流動によって、該流出制限体(110)に流入したインクの空気通路(240)側への流入を構造的に遮断できるように貯蔵筒キャップ(120)を備えることを特徴とする。
【発明の効果】
【００１８】
従って、本発明は吸収貯蔵体の後方側に流出制限体を備えることで、インクの 嵩膨張又は衝撃流動等によって、空気通路側へ流出するインクを吸収貯蔵して空気通路側へ流出するインクによる空気通路の詰まり又はボディー外部へのインク流出が防止される。
【００１９】
また、流出制限体の吸収貯蔵体側接触面に界面活性剤をコーティングした吸収防止層を形成することで、空気通路側へのインク流入が最大限抑制され、吸収貯蔵体への空気供給が円滑に行なわれる。
【００２０】
また、上記流出制限体の空気通路側に上記流出制限体よりも気孔が稠密な流出遮断体を備えることで、嵩膨張又は衝撃流動によって流出制限体に吸収されたインクがボディーとの貼性力による濡れ等によって空気通路側へ流入することを防止することができる。
【００２１】
さらに、上記流出制限体の後方に貯蔵筒キャップを備えることで、嵩膨張又は衝撃流動によって流出制限体に流入したインクが、空気通路側に流入することを構造的に遮断することができる非常に有用なものである。
【発明を実施するための最良の形態】
【００２２】
以下、添付した図面によって説明すれば次の通りである。  
本発明は温度変化によるインクの嵩膨張及び衝撃流動等によって流出するインクによる空気通路(240)の詰まり又は流出したインクがボディー外部へ流出することが防止できるようにしたもので、上記インクタンク(230)に貯蔵されたインクを毛細管現象を用いて引き出して、筆記が行われるようにする芯体(210)と、上記インクタンク(230)のインクを臨時に貯蔵した後、供給する吸収貯蔵体(221)と、吸収貯蔵体(221)に芯体(210)へのインク流動のための空気を供給する空気通路(240)とを備えた筆記具において、上記吸収貯蔵体(221)の空気通路(240)側に嵩膨張又は衝撃流動等によって流入するインクを一時的に吸収貯蔵した後、吸収貯蔵体(221)へ再供給することができるように、上記吸収貯蔵体(221)よりも吸収力が低くなるように気孔が大きく形成されて密度が低い発泡体で成る流出制限体(110)を備えたものである。
【００２３】
ここで、上記流出制限体(110)はインクタンク(230)からインクが流出して、吸収貯蔵体(221)に供給できるように突出形成されたインク流出管(231)の外周縁に嵌めて結合できるように中央部位が貫通されたドーナツ形に形成されたものである。
【００２４】
一方、図３に図示する本発明の実施例として、通常吸収貯蔵体(221)に吸収されたインクが毛細管流動によって、流出制限体(110)へ移動することを抑制することができるように上記流出制限体の吸収貯蔵体(221)側に界面活性剤をコーティングした吸収防止層(111)を形成して実施することができる。
【００２５】
また、図４に図示する本発明の他の実施例として、嵩膨張又は衝撃流動によって、流出制限体(110)に吸収されたインクがボディーとの貼性力による濡れ等によって、空気通路(240)側へ流入することを防止するように、上記流出制限体(110)の空気通路(240)側に上記流出制限体(110)よりも気孔度が稠密に形成された流出遮断体(112)を備えて実施することが好ましい。
【００２６】
また、上記流出制限体(110)の後方には、嵩膨張又は衝撃流動によって流出制限体(110)に流入したインクの空気通路(240)側への流入を構造的に遮断できるように貯蔵筒キャップ(120)を備えて実施することができる。
【００２７】
上記したように、インクタンク(230)に貯蔵されたインクを毛細管現象を用いて引き出して、筆記が行われるようにする芯体(210)と、上記インクタンク(230)のインクを臨時に貯蔵した後、供給する吸収貯蔵体(221)と、吸収貯蔵体(221)に芯体(210)へのインク流動のための空気を供給する空気通路(240)とを備えた筆記具において、上記吸収貯蔵体(221)の空気通路(240)側に嵩膨張又は衝撃流動等によって上記吸収貯蔵体(221)に流入するインクを一時的に吸収貯蔵した後、吸収貯蔵体(221)に再供給できるように、上記吸収貯蔵体(221)よりも吸収力が低くなるように気孔が大きく、密度が低い発泡体でなる流出制限体(110)を備えた本発明を適用して実施するにおいて、周りの温度変化によって吸収貯蔵体(221)に貯蔵されているインクが膨張すると、膨張されたインクが流動しやすい流出制限体(110)に吸収されることになり、膨張されたインクが圧力等によって芯体(210)を通じて流出したり、空気通路(240)を詰まらせる等の現象が防止される。
【００２８】
また、筆記具を逆にして携帯した時、自重により流動したインク又は衝撃等によって流動したインクも流出制限体(110)に一時的に吸収された後、再び吸収貯蔵体(221)へ再供給されるようにすることができる。
【００２９】
一方、本発明の更に他の実施例と同様に、界面活性剤をコーティングした吸収防止層(111)を吸収貯蔵体(221)側の流出制限体(110)に形成することで、使用過程において、必要以上に上記流出制限体(110)にインクが濡れることを防止することができる。
【００３０】
また、本発明の他の実施例のように、流出制限体(110)の後方に気孔がより稠密な流出遮断体(112)又は貯蔵筒キャップ(120)を備えることで、流出制限体(110)に一時的に吸収貯蔵されたインクの空気通路(240)側への流出が効果的に遮断される。
【００３１】
また、吸収貯蔵体(221)の組み立て過程において、吸収貯蔵体(221)のインク流出管(231)、及び、芯体(210)との接触部位に加圧によって稠密部(221a)(221b)を形成し、該部位の毛細管力が強化されることで、芯体(210)を通じたインクの流出が均一に行なわれ、インクタンク(230)のインクが衝撃荷重によって急速過多に吸収貯蔵体(221)へ流動することが遮断される。
【００３２】
この発明は、上述の実施形態の構成のみに限定されるものではなく、多くの実施の形態を得ることができる。
【図面の簡単な説明】
【００３３】
【図１】本発明に係る一実施例を示した分解斜視図。
【図２】本発明に係る一実施例を示した側断面図。
【図３】本発明に係る一実施例を示した詳細断面図。
【図４】発明に係る他の実施例を示した詳細側断面図。
【符号の説明】
【００３４】
１１０…流出制限体
１１１…吸収防止層
１１２…流出遮断体
１２０…貯蔵筒キャップ
２１０…芯体
２２１…吸収貯蔵体
２２２…吸収貯蔵筒
２３０…インクタンク
２３１…インク流出管
２４０…空気通路
【図１】
2007111885.tif 000003
【図２】
2007111885.tif 000004
【図３】
2007111885.tif 000005
【図４】
2007111885.tif 000006